(57)【要約】  【課題】  ボックス部の内部への小便の侵入を防止すること。  【解決手段】便座ユニットが開位置に回動変移されたときに、ボックス部の開口部がシャッターにより閉塞される。【選択図】  図２０
2005213873.tif 000002
【特許請求の範囲】
【請求項１】
前方側及び後方側に夫々座面部及びボックス部を一体的に設けた便座ユニットと、前記ボックス部の内部に収容された洗浄機構とを備え、前記ボックスが便器リム面の後部に固定されたブラケットの所定高さの位置に枢支したとき、前記便座ユニットが、前記座面部が前記便器リム面上に載置されると共に前記ボックス部の開口部から前記洗浄機構のノズルが前記便器内部に進退可能となる閉位置と前記座面部が前記便器リム面に対して直角若しくは鈍角をなす開位置との間を回動変移されるようにし、更には、前記便座ユニットが開位置にあるとき、前記ボックスの前記開口部がシャッターにより閉塞されるようにしてなる、温水洗浄便座装置。
【発明の詳細な説明】
【技術分野】
【０００１】
本発明は、温水洗浄便座装置に関するものであり、特に便器リム面の後部に装着される温水洗浄便座装置に関する。
【背景技術】
【０００２】
周知のように、便器リム面の後部に装着ないしは設置される温水洗浄便座装置（人体局部洗浄装置とも言う）は、基本的には、使用者が着座する便座と、この便座部後部にあって使用者の洗浄を行う洗浄ノズル装置・温風乾燥を行う温風乾燥装置と、これらの制御装置等が収納されたボックス部とから構成されている。また便座の上には便蓋が便座を覆うように設けられ、便座と便蓋の後端部はボックス部に対して回動自在に取り付けられている。かような構成においては、便座とボックス部の間および便蓋とボックス部の間には、その構造上から比較的大きな間隙が必要となるので、この間隙に汚れや埃が付着し易い上に、雑巾等で汚れを拭き取る際にも拭き残しが出来てしまうなどの好ましくない点があった。さらにデザイン上においても便座とボックス部とに分割されており、造形上の自由度が制限されてしまうということも事実であった。
【０００３】
上記した事情に鑑み、以上のことから、特許文献１は、便座とボックス部とを一体的な構造とし且つボックス部の底板は便器のリム面に直接固定されている取付け部材の後端に回動可能に支承するようにした温水洗浄便座装置を開示する。このような構成の温水洗浄便座装置においては、ボックス部を後方へ回動させ、ボックス部とボックス部に支承されている便蓋および便座を後方へ持ち上げることにより、ボックス部の底板の下面と便器リム面を露出させることができる。かくして、便器から便座装置全体を取り外さなくても、ボックス部の底板の下面と便器リム面を容易に掃除をすることができ、実用上、秀でた効果を奏するものである。
【特許文献１】実開平５−４９９５号公報
【発明の開示】
【発明が解決しようとする課題】
【０００４】
特許文献１に示されるように、便座とボックス部とを一体的な構造とし且つボックス部の底板は便器のリム面に直接固定されている取付け部材の後端に回動可能に支承するような構成を採用すれば、確かに、便器から便座装置全体を取り外さなくても、ボックス部の底板の下面と便器リム面を容易に掃除をすることができるが、便器の周辺構造に微妙な影響を与える。すなわち、特許文献１に開示の構成においては、ボックス部の底板は便器のリム面に直接固定されている取付け部材の後端に回動可能に支承されるので、ボックス部を便座のリム面上に対して略９０度の角度をなすように回動させて、ボックス部の後端面をリム面上に載置させる態様を齎せば、このボックス部に一体化された便座を開位置に保持することができる。便座の、この開位置への保持は、便器リム面の清掃のためになされる他、男子の小便の際にもなされる。しかして、ボックス部には、洗浄機構のノズルが進退するための開口部が形成されており、この開口部は、小便が描く放物線の軌跡上に位置することが往々にしてあり、小便がある。従って、ボックス部内部に小便が侵入し、ボックス部内部に配設されている電子機器・素子に悪影響を及ぼす危惧がないとはいえない。
【０００５】
それ故に、本発明は、ボックス部の内部への小便侵入を防止することを、技術的課題とするものである。
【課題を解決するための手段】
【０００６】
上記技術的課題を解決するために請求項１記載の発明において講じた技術的手段は、
「前方側及び後方側に夫々座面部及びボックス部を一体的に設けた便座ユニットと、前記ボックス部の内部に収容された洗浄機構とを備え、前記ボックスが便器リム面の後部に固定されたブラケットの所定高さの位置に枢支したとき、前記便座ユニットが、前記座面部が前記便器リム面上に載置されると共に前記ボックス部の開口部から前記洗浄機構のノズルが前記便器内部に進退可能となる閉位置と前記座面部が前記便器リム面に対して直角若しくは鈍角をなす開位置との間を回動変移されるようにし、更には、前記便座ユニットが開位置にあるとき、前記ボックス部の前記開口部がシャッターにより閉塞されるようにしてなる、温水洗浄便座装置」
を構成したことである。
【発明の効果】
【０００７】
請求項１記載の発明によれば、便座ユニットが開位置に回動変移されたときに、ボックス部の開口部がシャッターにより閉塞されるので、ボックス部の内部の小便が侵入することはない。
【発明を実施するための最良の形態】
【０００８】
本発明を実施するための最良の形態例を、図１〜図２０に依拠して、説明する。
【０００９】
温水洗浄便座装置１０は、便座ユニット２０を備える。しかして、便座ユニット２０は、前方側に位置する座面部２２と後方側に位置するボックス部２４を一体成型してなるものである。便座ユニット２０の原材料としては、例えば、樹脂や金属を採用することができる。
【００１０】
ボックス部２４の内部には、座面部２２上に着座する使用者の特定の部位（男性・女性の臀部ないしは肛門部及び女性局部）を温水にて洗浄する洗浄機構３０が収容されている。
【００１１】
便座ユニット２０は、便器１２のリム面１２ａの後部に着脱自在に固定されたブラケット７０に回動自在に枢支される。しかして、便座ユニット２０の回動範囲は、座面部２２がゴム足２２ａを介して便器リム面１２ａ上に載置される閉位置と、ボックス部２４の後端面が便器リム面１２ａとの間に所定の空隙Ｇを画成すると共に座面部２２が便器リム面１２ａに対して直角若しくは鈍角をなす開位置との間に規制されている。そして、便座ユニット２０が開位置に回動変移されたときに、ボックス部２４の後端面と便器リム面１２ａとの間に画成される空隙Ｇは、特に２０ミリメートル以上に設定することにより、便器１２のリム面１２ａ上の清掃を容易に行うことができる。
【００１２】
便器１２のリム面１２ａ上には、更に、便座ユニット２０のボックス部２４の直後に、ロータンク５０が設置されている。また、便座ユニット２０のボックス部２４には、座面部２２を被覆可能な便蓋６０が枢支されている。しかして、この便蓋６０の枢支点（回動中心）は、便座ユニット２０の回動中心と同軸となっている。この同軸設定により、便座ユニット２０を手で持って便座ユニット２０を閉位置から開位置に回動変移するとき、便蓋６０が便座ユニット２０から離れて回動変移することがないので、便座ユニット２０のみの閉方向への回動時、便蓋６０が追随して下降するときや、便座ユニット２０のみを把持して便座ユニット２０と便蓋６０を一緒に開方向への回動変移時、便座ユニット２０のみを把持していても、便蓋６０が先んじて開位置に変移してしまうことがない。
【００１３】
ブラケット７０は、便器１２のリム面１２ａ後方の、穴１４に近接する位置に着脱自在に固定される。すなわち、ブラケット７０は、ベースプレート７２と、便器幅方向に所定の間隔をおいてベースプレート７２の左右から一体的に立設される一対の支持体７４・７４と、ベースプレート７２の後端部から上方向に一体的に突設された一対のストッパ部材７６・７６とを備える。各ストッパ部材７６と対応する支持体７４は、便器前後方向においては、同一直線上に位置する。支持体７４には上方開口のスロット７４ａが刻設されており、このスロット７４ａ内に、アーム７８が挿脱自在に嵌着される。また、双方のアーム７８・７８には、便器幅方向に同軸となる穴７８ａ・７８ａが穿設されている。更に、ベースプレート７２の下面には一対のネジ棒７９・７９が形成されており、このネジ棒７９・７９は、便器１２のリム面１２ａ後方部の一対の穴に螺着・固定される。これにより、ブラケット７０は、便器１２のリム面１２ａ後方の、穴１４に近接する位置に着脱自在に固定されることになる。
【００１４】
ボックス部２４の下面側には、便器幅方向に所定の間隔をおいて位置し且つ内部に没入する１対のスロット部２４ａ・２４ａが形成される。しかして、座面部２２と一体のボックス部２４が、便器１２のリム面１２ａ後方部に、ブラケット７０と重畳するように、載置されると、ブラケット７０のアーム７８・７８が、ボックス部２４のスロット部２４ａ・２４ａの内部に収容される。
【００１５】
この状態の下、ボックス部２４の内部においては、ヒンジピン８０が一方のスロット部２４ａの外郭を形成する部位２４ｂの左面、一方のアーム７８の穴７８ａ及び部位２４ｂの右面を貫通する。ヒンジピン８０の頭部は部位２４ｂの左面に係合し、ヒンジピン８０の先端部はカシメで部位２４ｂの右面に係合する。これにより、一方のスロット部２４ａの外郭を形成する部位２４ｂからヒンジピン８０が抜け出ることが防止される。また、ボックス部２４の内部においては、ダンパー８２の軸部８２ａが、他方のスロット部２４ａの外郭を形成する部位２４ｂの左面を遊嵌した後、他方のアーム７８の穴７８ａに密嵌される。かくして、ボックス部２４は、ブラケット７０のアーム７８・７８に対して枢支され、ボックス部２４は、開方向に回動変移するときはダンパー８２の作用を受けずに迅速な運動をなし、また、閉方向に回動変移するときは、ダンパー８２の作用で緩やかな運動を行い、座面部２２が便器１２リム面１２ａへの衝突を防止する。尚、ダンパー８２は、他方のスロット部２４ａの外郭を形成する部位２４ｂの左面に隣接形成された台２４ｃ上にクランプ固定される。また、当然ながら、ヒンジピン８０の軸芯とダンパー８２の軸部８２ａの軸芯とは同芯となっている。
【００１６】
便座ユニット２０のボックス部２４には、座面部２２を被覆可能な便蓋６０が枢支されている。すなわち、便蓋６０の一方側の内面にはボス部６０ａが形成されており、このボス部６０ａ内には、ボックス部２４の一方の壁面から突出するダンパー８６の軸部８６ａが密嵌固定されている。また、便蓋６０の他方側の内面にはランド部６０ｂが形成されており、このランド部６０ｂは、ボックス部２４の他方の壁面に形成されたボス部２４ｐ内に回動可能に挿入される。かくして、便蓋６０は、ボックス部２４に対して枢支され、便蓋６０は、開方向に回動変移するときはダンパー８６の作用を受けずに迅速な運動をなし、また、閉方向に回動変移するときは、ダンパー８６の作用で緩やかな運動を行い、便蓋６０が座面部２２へ衝突するのを防止する。尚、当然のことながら、ダンパー８６の軸部８６ａとランド部６０ｂの軸芯とは同芯となっている。
【００１７】
しかして、ダンパー８６の軸部８６ａとヒンジピン８０の軸芯とは同芯となっとり、また、このダンパー８２の軸部８２ａとランド部６０ｂの軸芯とは同芯となっているので、結局、便蓋６０の枢支点（回動中心）は、便座ユニット２０の回動中心と同軸となっている。この同軸設定により、便座ユニット２０を手で持って便座ユニット２０を閉位置から開位置に回動変移するとき、便蓋６０が便座ユニット２０から離れて回動変移することがないので、便座ユニット２０のみの閉方向への回動時、便蓋６０が追随して下降するときや、便座ユニット２０のみを把持して便座ユニット２０と便蓋６０を一緒に開方向への回動変移時、便座ユニット２０のみを把持していても、便蓋６０が先んじて開位置に変移してしまうことがない。
【００１８】
前記したように、ブラケット７０のベースプレート７２の後端部の２つのコーナー部からは、一対のストッパ部材７６・７６が立設・形成されている。各ストッパ部材７６の先端部近傍には、ロータンク５０側に開口する断面が台形の溝７６ａが形成されている。この溝７６ａの開口部は、ロータンク５０方向に拡開している。しかして、図１５において特に明瞭に示されるように、便蓋６０の後端部の内面には、便器幅方向に所定の間隔をおいて一対の突起部６０ｐ・６０ｐ（一方のみ図示）及び各突起部６０ｐの前方に隣接する凹部６０ｑが形成されており、特に図１７に明瞭に示されるように、便蓋６０の突起部６０ｐがストッパ部材７６の溝７６ａに嵌合して、その開位置が保持される。
【００１９】
ストッパ部材７６は、便座ユニット２０が閉位置（使用位置）にあるときは、特に図７及び図１７に明瞭に示されるように、ボックス部２４の背面（つまりロータンク５０側）に刻設された溝２４ｇ内に遊嵌された状態となっているが、便座ユニット２０が開位置（不使用位置）にあるときは、図８に示されるように、ストッパ部材７６は、便器幅方向においては、便座ユニット２０との重畳関係はない。
【００２０】
図６〜８に明瞭に示されるように、便座ユニット２０の座面部２２の後部側たるボックス部２４の下面２４ｐを緩やかな円弧状としている。これにより、洗浄機構３０の使用時にノズル３２若しくは飛散してボックス部２４の下面２４ｒに付着して水滴となった洗浄水は、便座ユニット２０が開位置に回動変移されたときに、ボックス部２４の下面２４ｐが、便器１２の穴部１４上に位置するようにしておくことにより、水滴が便器１２の内部に落下する。かくして、ボックス部２４の下面２４ｐと便器１２のリム面１２ａとの間に水が滞留ないしは付着し放しという不具合が未然に防止される。
【００２１】
図１３、図１９及び図２０を参照して、洗浄機構３０について説明する。ボックス部２４内に設置される洗浄機構３０は、座面部２２に着座する使用者の肛門を洗浄する肛門洗浄用ノズル部３１と、使用者が女性である場合の局部を洗浄するためのビデ洗浄部３２を備える。肛門洗浄用ノズル部３１（ビデ洗浄部３２）は、ボックス部２４の下面２４ｐに固定される基体筒部３１１（３２１）と、基体筒部３１１（３２１）に進退自在に収容されたノズル体３１２（３２２）とから構成される。しかして、図示されない給水源から水が、給水ポート３３及び電磁便３４を介して温水タンク３５内に圧送されると、温水タンク３５内においてヒーター（図示略）により所定の温度に昇温・保持された温水が押し出され、第１の位置（第２の位置にある）分配弁（図示略）を介して肛門洗浄用ノズル部３１（ビデ洗浄部３２）の基体筒部３１１（３２１）に至り、基体筒部３１１（３２１）からノズル体３１２（３２２）を押し出す。押し出されたノズル体３１２（３２２）は、開口部２４ｚを通過して便器１２内部の所定位置で停止し、先端に形成された噴射穴（図示略）から温水が肛門（女性局部）に噴射されて、洗浄がなされる。この洗浄の後、基体筒部３１１（３２１）への温水の圧送が停止されることに伴い、ノズル体３１２（３２２）が原位置に復帰し、次いで、温風ノズルから噴射された温風が、開口部２４ｙを通過して洗浄後の部位に吹き付けられて、乾燥が行われる。上記した洗浄機構３０の電子部品の制御は、ＣＰＵ（図示略）を基調とする制御装置３６によりなされる。
【００２２】
しかして、図１９に明瞭に示されるように、ボックス部２４の下側に設けられて便器１２の内部（穴部１４）に開放・露呈する開口部２４ｚには、シャッター９０が設けられる。このシャッター９０は、便座ユニット２０が閉位置（開位置）にある時は図１９にて実線（図１９にて仮想線で及び図２０にて実線）で示されるように、開口部２４ｚを開放（閉塞）する。このシャッター９０をして、便座ユニット２０が開位置にある時、図１９にて仮想線で及び図２０にて実線で示されるように、開口部２４ｚを閉塞せしめるのは、主として、開口部２４ｚを通過した水その他の液体のボックス部２４内へ侵入による洗浄機構３０の構成要素の損傷を防止するためである。すなわち、図２０に示されるように、便座ユニット２０が開位置にある時、ボックス部２４の開口部２４ｚを閉塞するシャッター９０は、便器１２の前方に立つ男性と対峙する。しかして、男性が便器１２に向かって小便をした場合、往々にしてあり得る条件によって、勢い良く放出された小便がボックス部２４の開口部２４ｚ近傍に至るが、この開口部２４ｚはシャッター９０によって閉塞されているので、小便がボックス部２４内に入って洗浄機構３０の構成要素が損傷されることはない。掃除の際に使用する水についても同じような防水作用が働く。
【００２３】
上記したシャッター９０の構造を、特に図１９に依拠して具体的に説明する。ボックス部２４の内部の、開口部２４ｚに近接する位置には、便器幅方向に所定の間隔を置いて、一対の支持体２４ｓ・２４ｓ（一方のみ図示）が設けられる。
【００２４】
各支持体２４ｓには、ピン９１が回動可能に支持されており、このピン９１は、アーム９２の後端部（図１９の左側）に固定されている。しかして、アーム９２は、開口部２４ｚを通過してボックス部２４の外部たる便器１２の内部に至るが、ここで、シャッター９０と一体化されている。これにより、シャッター９０は、その後端部がピン９１を介してボックス部２４に対して回動変移可能に枢着されることになる。シャッター９０の前端部側には、便座幅方向（図１９の紙面の垂直方向）に延在する溝部９０ａが画成されており、この溝部９０には、単位容積あたりの重量が大きな物質（例えばゴム）が、重石９３として、充填されており、シャッター９０を常時時計方向に付勢している。これにより、図１９に示す状態（つまり便座ユニット２０が閉位置ないしは使用位置にあるとき）は、シャッター９０は常時開口部２４ｚを開放して、ノズル体３１２（３２２）の便器１２の内部への前進を可能としている。
【００２５】
ボックス部２４を起立回動せしめると、図２０に示すように、便座ユニット２０が開位置（不使用位置）に変移させられる。この回動の過程において、重石９３の作用により、シャッター９０がピン９１を中心としてボックス部２４に近接する方向に回動して、シャッター９０の先端部９０ｘが開口部２４ｚの内縁部の上側２４ｑと係合した時点で、シャッター９０が開口部２４ｚを完全に閉塞する。シャッター９０が開口部２４ｚを完全に閉塞し、図２０に示すように、便座ユニット２０の開位置（不使用位置）への変移が確立したに後も維持される。尚、シャッター９０は、開口部２４ｚを閉塞したときに、便器１２の内部方向に傾斜するような屈曲形状となっており、これにより、例えばシャッター９０に放射された小便は、この傾斜に沿って速やかに便器１２内に移送される。
【００２６】
以上、本発明の実施の形態について説明したが、本発明は上述した実施の形態に限定される意図はなく、本発明の趣旨に沿った形態のトイレ装置であれば、どのようなものでもよい。
【図面の簡単な説明】
【００２７】
【図１】本発明に係る温水洗浄便座装置の平面図である。
【図２】図１に示す温水洗浄便座装置の側面図である。
【図３】図１に示す温水洗浄便座装置の主要構成要素たる便座ユニットの平面図である。
【図４】図３に示す便座ユニットの側面図である。
【図５】図３に示す便座ユニットの底面図である。
【図６】図３に示す便座ユニットが便器リム面後部に設置されたときの状態を示す側面図である。
【図７】図３に示す便座ユニットにおいて、便蓋のみが開方向に回動変移された状態を示す側面図である。
【図８】図３に示す便座ユニットにおいて、便蓋及び便座の双方が開方向に回動変移された状態を示す側面図である。
【図９】図６に示す便座ユニットの外観斜視図である。
【図１０】図７に示す便座ユニットの外観斜視図である。
【図１１】図８に示す便座ユニットの外観斜視図である。
【図１２】図６のＡ−Ａ線に沿う断面図である。
【図１３】ボックス部内に配置された洗浄機構の平面図である。
【図１４】図１２のＢ−Ｂ線に沿う断面図である。
【図１５】図１４のＤ方向から見た図である。
【図１６】図７に示す状態にあるときの、便座ユニットの後方の斜視図である。
【図１７】図１６に示す状態にある便蓋と便座ユニットとの係合関係を説明する図である。
【図１８】便蓋を取り外したときの、便座ユニットの後方の斜視図。
【図１９】便座ユニットが閉位置にあるときの、ノズル近傍の状態を示す図である。
【図２０】便座ユニットが開位置にあるときの、ノズル近傍の状態を示す図である。
【符号の説明】
【００２８】
１０：温水洗浄便座装置、１２：便器、１２ａ：リム面、１４：穴、２０：便座ユニット、２２：座面部、２４：ボックス部、２４ａ：スロット部、３０：洗浄機構、５０：ロータンク、６０：便蓋、７０：ブラケット、７２：ベースプレート、７４：支持体、７４ａ：スロット、７６：ストッパ部材、７８：アーム、７９：ネジ棒、８０：ヒンジピン、８２：ダンパー、８６：ダンパー、９０：シャッター。
【図１】
2005213873.tif 000003
【図２】
2005213873.tif 000004
【図３】
2005213873.tif 000005
【図４】
2005213873.tif 000006
【図５】
2005213873.tif 000007
【図６】
2005213873.tif 000008
【図７】
2005213873.tif 000009
【図８】
2005213873.tif 000010
【図９】
2005213873.tif 000011
【図１０】
2005213873.tif 000012
【図１１】
2005213873.tif 000013
【図１２】
2005213873.tif 000014
【図１３】
2005213873.tif 000015
【図１４】
2005213873.tif 000016
【図１５】
2005213873.tif 000017
【図１６】
2005213873.tif 000018
【図１７】
2005213873.tif 000019
【図１８】
2005213873.tif 000020
【図１９】
2005213873.tif 000021
【図２０】
2005213873.tif 000022